(57)【特許請求の範囲】
【請求項１】
熱交換器からのドレン水を受けるドレンパンと、
前記ドレンパンの内側に開口した入口部、前記ドレンパンの外側に開口した出口部、及び、前記入口部と前記出口部との間に形成され前記出口部に近いほど大径となるテーパ状の内周面を有し、前記ドレンパン内のドレン水を排水する排水口部と、
前記排水口部に前記出口部側から着脱自在に挿入され、前記内周面に密接する止水栓と、
前記出口部に着脱自在に取り付けられる蓋と、
前記止水栓と前記蓋との間に配置され、前記止水栓を前記入口部側に付勢する付勢部材と、
を備え、
前記排水口部は、前記出口部が一端に形成された第１筒状部を有しており、
前記蓋は、一端が閉塞された筒形状を有しており、
前記蓋は、前記蓋の内周部と前記第１筒状部の外周部とが螺合することにより前記出口部に取り付けられる空気調和機。
【請求項２】
前記止水栓は、前記内周面の全周に密接する環状の凸部を有する請求項１に記載の空気調和機。
【請求項３】
前記止水栓は、弾性体で構成されている請求項１又は請求項２に記載の空気調和機。
【請求項４】
前記止水栓は、
前記内周面と対向する外周面を備えた第２筒状部と、
前記第２筒状部の前記入口部側の端部に形成された底部と、
前記第２筒状部の内側に形成され、前記出口部側の端部が開口した中空部と、を有している請求項１〜請求項３のいずれか一項に記載の空気調和機。
【請求項５】
前記止水栓は、前記底部から前記中空部側に突出して形成された把手部を有している請求項４に記載の空気調和機。
【請求項６】
前記付勢部材はコイルばねであり、
前記蓋は、前記コイルばねを取り付けるための引掛け部を有する請求項１〜請求項５のいずれか一項に記載の空気調和機。
【発明の詳細な説明】
【技術分野】
【０００１】
本発明は、ドレン水を排水する排水口部を備えた空気調和機に関するものである。
【背景技術】
【０００２】
特許文献１には、除湿機用水受容器が記載されている。この除湿機用水受容器は、排水用孔と、排水用孔に取り付けられるボルト状の栓と、を有している。排水用孔の内側には、雌ねじが形成されている。栓には、雌ねじと螺合する雄ねじが形成されている。
【先行技術文献】
【特許文献】
【０００３】
【特許文献１】実開昭５０−０２２３４６号公報
【発明の概要】
【発明が解決しようとする課題】
【０００４】
しかしながら、ボルト状の栓は、経年劣化又は熱によって収縮する場合がある。栓が収縮すると排水用孔と栓との間に隙間が生じるため、容器に水漏れが生じてしまうおそれがあるという課題があった。【０００５】
本発明は、上述のような課題を解決するためになされたものであり、止水栓が収縮したとしても水漏れを防ぐことができる空気調和機を提供することを目的とする。
【課題を解決するための手段】
【０００６】
本発明に係る空気調和機は、熱交換器からのドレン水を受けるドレンパンと、前記ドレンパンの内側に開口した入口部、前記ドレンパンの外側に開口した出口部、及び、前記入口部と前記出口部との間に形成され前記出口部に近いほど大径となるテーパ状の内周面を有し、前記ドレンパン内のドレン水を排水する排水口部と、前記排水口部に前記出口部側から着脱自在に挿入され、前記内周面に密接する止水栓と、前記出口部に着脱自在に取り付けられる蓋と、前記止水栓と前記蓋との間に配置され、前記止水栓を前記入口部側に付勢する付勢部材と、を備え、前記排水口部は、前記出口部が一端に形成された第１筒状部を有しており、前記蓋は、一端が閉塞された筒形状を有しており、前記蓋は、前記蓋の内周部と前記第１筒状部の外周部とが螺合することにより前記出口部に取り付けられるものである。
【発明の効果】
【０００７】
本発明によれば、付勢部材の付勢力によって止水栓を排水口部の内周面に密接させることができるため、止水栓が収縮したとしても水漏れを防ぐことができる。
【図面の簡単な説明】
【０００８】
【図１】本発明の実施の形態１に係る空気調和機の概略構成を示す部分断面図である。
【図２】本発明の実施の形態１に係る空気調和機における排水口部１０近傍の構成を示す断面図である。
【図３】本発明の実施の形態１に係る空気調和機における蓋３０及びコイルばね４０の組立て状態を示す斜視図である。
【図４】本発明の実施の形態１に係る空気調和機における効果を説明する図である。
【図５】本発明の実施の形態２に係る空気調和機における排水口部１０近傍の構成を示す断面図である。
【発明を実施するための形態】
【０００９】
実施の形態１．
本発明の実施の形態１に係る空気調和機について説明する。図１は、本実施の形態に係る空気調和機の概略構成を示す部分断面図である。本実施の形態では、空気調和機として、天井の裏側に埋設される天井埋込形の室内機１００を例示している。図１に示すように、室内機１００は、下面が開口した筐体１０１と、筐体１０１の下面開口部から天井の開口部周縁にかけて取り付けられた化粧パネル１０２と、を有している。筐体１０１の天板には、ファンモーター１０３が取り付けられている。ファンモーター１０３の出力軸には、ターボファン１０４が固定されている。ターボファン１０４の周囲には、熱交換器１０５がターボファン１０４を囲むように配置されている。
【００１０】
熱交換器１０５の下方には、熱交換器１０５からの凝縮水をドレン水として受けるドレンパン１０６が設けられている。ドレンパン１０６の貯水部の底部には、排水口部１０が設けられている。本実施の形態では、排水口部１０とドレンパン１０６とが別部材であるが、排水口部１０はドレンパン１０６の一部であってもよい。排水口部１０には、止水栓２０が着脱自在に取り付けられている。排水口部１０に止水栓２０が取り付けられた状態では、熱交換器１０５からのドレン水がドレンパン１０６に貯留される。止水栓２０が排水口部１０から取り外されると、ドレンパン１０６に貯留されたドレン水が外部に排水される。
【００１１】
図２は、本実施の形態に係る空気調和機における排水口部１０近傍の構成を示す断面図である。図２に示すように、排水口部１０は、円筒形状の筒状部１１（第１筒状部の一例）と、筒状部１１の上端につば状に形成されたフランジ部１２と、を有している。排水口部１０は、ドレンパン１０６（図２では図示せず）の底部に形成された開口部に筒状部１１が上方から嵌め込まれることにより、ドレンパン１０６に取り付けられる。筒状部１１の内側には、排水口１５が貫通して形成されている。筒状部１１の上端には、ドレンパン１０６の内側に開口し、排水口１５の入口となる入口部１３が形成されている。筒状部１１の下端には、ドレンパン１０６の外側に開口し、排水口１５の出口となる出口部１４が形成されている。排水口１５の軸方向における少なくとも一部は、筒状部１１の内周面１６によって画定されている。内周面１６は、入口部１３に近いほど小径となり出口部１４に近いほど大径となるテーパ状（すなわち、円錐面状）に形成されている。また、筒状部１１の外周面には、後述する蓋３０を取り付けるための２つの係止爪１７が形成されている。
【００１２】
止水栓２０は、ゴム等の弾性体で構成されている。止水栓２０は、排水口部１０に形成された排水口１５に出口部１４側から着脱自在に挿入され、内周面１６に密接している。止水栓２０は、後述するコイルばね４０によって、内周面１６に密接する方向の付勢力を常に受けている。図２では、止水栓２０が受ける付勢力を太矢印で表している。内周面１６との密接によって止水栓２０の形状は変形するが、図２では、変形する前の止水栓２０の形状を示している。
【００１３】
止水栓２０は、筒状部２１（第２筒状部の一例）、底部２２及び中空部２３を有している。筒状部２１は、上端に近いほど小径となり下端に近いほど大径となる円錐面状の形状を有している。筒状部２１は、排水口部１０の内周面１６に対向するテーパ状の外周面２４を備えている。底部２２は、排水口部１０の入口部１３側となる筒状部２１の上端に形成されている。中空部２３は、筒状部２１の内側に形成されている。中空部２３の上端は底部２２によって閉塞されており、排水口部１０の出口部１４側となる中空部２３の下端は開口されている。外周面２４には、内周面１６の全周に密接する環状の凸部２５ａ、２５ｂが形成されている。凸部２５ａ、２５ｂは、内周面１６との密接により押しつぶされ、内周面１６に倣って変形する。これにより、止水栓２０の止水性が高められる。底部２２には、中空部２３側に突出したリブ状の把手部２６が形成されている。把手部２６は、例えば、止水栓２０を排水口部１０から取り外す際に用いられる。
【００１４】
排水口部１０の出口部１４側には、蓋３０及びコイルばね４０（付勢部材の一例）が着脱自在に取り付けられている。
【００１５】
図３は、本実施の形態に係る空気調和機における蓋３０及びコイルばね４０の組立て状態を示す斜視図である。図３及び既に示した図２に示すように、蓋３０は、一端が閉塞された筒形状を有している。すなわち、蓋３０は、円筒形状の筒状部３１と、筒状部３１の下端を閉塞する底部３２と、を有している。筒状部３１の内側には、排水口部１０の筒状部１１の下端（すなわち、筒状部１１の出口部１４側の端部）が嵌め込まれる。筒状部３１には、排水口部１０の２つの係止爪１７によってそれぞれ係止される２つの係止穴３３が形成されている。底部３２の筒状部３１側の面には、一対の円弧状の位置決めリブ３４と、一対のかぎ状の引掛け部３５と、が形成されている。位置決めリブ３４は、コイルばね４０を位置決めするために設けられている。引掛け部３５は、コイルばね４０を引っ掛けて取り付けるために設けられている。蓋３０及びコイルばね４０は、コイルばね４０が引掛け部３５に取り付けられることにより、一体的に組み立てられる。
【００１６】
蓋３０が排水口部１０に取り付けられた状態では、コイルばね４０は、圧縮された状態で止水栓２０と蓋３０との間に配置される。コイルばね４０の上端部は止水栓２０に当接しており、コイルばね４０の下端部は蓋３０に取り付けられている。すなわち、コイルばね４０の反力は、止水栓２０及び蓋３０の双方に作用する。一方、蓋３０は、係止爪１７が係止穴３３を係止することにより、排水口部１０に対して固定されている。これにより、コイルばね４０は、止水栓２０を排水口部１０の入口部１３側に付勢する。コイルばね４０の付勢力により、止水栓２０は、排水口部１０の内周面１６に密接する。
【００１７】
次に、排水口部１０に止水栓２０を取り付ける方法について説明する。まず、止水栓２０を出口部１４側から排水口部１０に挿入する。次に、あらかじめ組み立てられた蓋３０及びコイルばね４０を排水口部１０に取り付け、係止爪１７を係止穴３３に係止させる。これにより、蓋３０が排水口部１０に固定されるとともに、コイルばね４０の付勢力によって止水栓２０が排水口部１０の内周面１６に密接する。
【００１８】
次に、排水口部１０から止水栓２０を取り外す方法について説明する。まず、係止爪１７と係止穴３３との係止を解除し、蓋３０及びコイルばね４０を排水口部１０から取り外す。次に、把手部２６を引っ張ることにより、止水栓２０を排水口部１０から取り外す。
【００１９】
図４は、本実施の形態に係る空気調和機における効果を説明する図である。図４（ａ）に示すように、排水口部１０の内周面１６の傾斜角度をαとする。また、経年劣化又は熱によって止水栓２０の半径が収縮幅βだけ収縮したものとする。なお、図４（ａ）では、収縮前の止水栓２０の外形を二点鎖線で示している。止水栓２０が収縮した場合、止水栓２０と排水口部１０の内周面１６との間には隙間が生じ得る。しかしながら、止水栓２０はコイルばね４０によって付勢されているため、図４（ｂ）に示すように、収縮した止水栓２０はコイルばね４０の付勢力によって入口部１３側に移動する。止水栓２０の移動距離は、内周面１６の傾斜角度α及び止水栓２０の収縮幅βを用いると（β／ｔａｎα）で表される。本実施の形態によれば、止水栓２０が収縮したとしても、コイルばね４０の付勢力によって止水栓２０を内周面１６の全周に密接させることができるため、止水栓２０の止水性が確保される。
【００２０】
止水栓の収縮幅は、収縮率が一定であれば止水栓の径が大きいほど大きくなる。このため、従来、大径の排水口及び止水栓が用いられる場合には、止水栓の収縮による水漏れが生じやすかった。これに対し、本実施の形態では、止水栓２０が収縮したとしても止水性が確保されるため、水漏れを防ぎつつ排水口１５及び止水栓２０を大径化することが可能となる。したがって、本実施の形態によれば、排水口１５及び止水栓２０を大径化できるため、排水性及び清掃作業性を向上させることができる。
【００２１】
以上説明したように、本実施の形態に係る空気調和機は、熱交換器１０５からのドレン水を受けるドレンパン１０６と、ドレンパン１０６の内側に開口した入口部１３、ドレンパン１０６の外側に開口した出口部１４、及び、入口部１３と出口部１４との間に形成され出口部１４に近いほど大径となるテーパ状の内周面１６を有し、ドレンパン１０６内のドレン水を排水する排水口部１０と、排水口部１０に出口部１４側から着脱自在に挿入され、内周面１６に密接する止水栓２０と、出口部１４に着脱自在に取り付けられる蓋３０と、止水栓２０と蓋３０との間に配置され、止水栓２０を入口部１３側に付勢するコイルばね４０（付勢部材の一例）と、備えている。
【００２２】
この構成によれば、コイルばね４０の付勢力によって止水栓２０を排水口部１０の内周面１６に密接させることができるため、経年劣化又は熱によって止水栓２０が収縮したとしても止水栓２０の止水性が確保される。したがって、ドレンパン１０６の水漏れを防ぐことができる。
【００２３】
本実施の形態に係る空気調和機において、止水栓２０は、内周面１６の全周に密接する環状の凸部２５ａ、２５ｂを有していてもよい。この構成によれば、止水栓２０の止水性を高めることができる。
【００２４】
本実施の形態に係る空気調和機において、止水栓２０は、弾性体で構成されていてもよい。この構成によれば、止水栓２０の止水性を高めることができる。
【００２５】
本実施の形態に係る空気調和機において、止水栓２０は、内周面１６と対向する外周面２４を備えた筒状部２１（第２筒状部の一例）と、筒状部２１の入口部１３側の端部に形成された底部２２と、筒状部２１の内側に形成され、出口部１４側の端部が開口した中空部２３と、を有していてもよい。この構成によれば、止水栓２０と蓋３０との間の空間に空気層を形成することができるため、断熱性を高めることができる。
【００２６】
本実施の形態に係る空気調和機において、止水栓２０は、底部２２から中空部２３側に突出して形成された把手部２６を有していてもよい。この構成によれば、止水栓２０を取り外す際の作業性を高めることができる。
【００２７】
本実施の形態に係る空気調和機において、蓋３０は、コイルばね４０を取り付けるための引掛け部３５を有していてもよい。この構成によれば、蓋３０とコイルばね４０とを一体化することができるため、止水栓２０を着脱する際の作業性を高めることができる。
【００２８】
実施の形態２．
本発明の実施の形態２に係る空気調和機について説明する。図５は、本実施の形態に係る空気調和機における排水口部１０近傍の構成を示す断面図である。本実施の形態は、排水口部１０に対する蓋３０の取付け構造において実施の形態１と異なっている。なお、実施の形態１と同一の機能及び作用を有する構成要素については、同一の符号を付してその説明を省略する。
【００２９】
図５に示すように、排水口部１０の筒状部１１の外周面には、雄ねじ１８が形成されている。蓋３０の筒状部３１の内周面には、雄ねじ１８と螺合する雌ねじ３６が形成されている。蓋３０は、雄ねじ１８と雌ねじ３６とが螺合することにより、出口部１４に着脱自在に取り付けられる。
【００３０】
以上説明したように、本実施の形態に係る空気調和機では、排水口部１０は、出口部１４が一端に形成された筒状部１１（第１筒状部の一例）を有している。蓋３０は、一端が閉塞された筒形状を有している。蓋３０は、蓋３０の内周部と筒状部１１の外周部とが螺合することにより出口部１４に取り付けられる。この構成によれば、蓋３０を排水口部１０に着脱する際の作業性を高めることができる。また、この構成によれば、排水口部１０に対する蓋３０の締付けトルクを調節することにより、コイルばね４０の圧縮変位量を調整することができる。このため、止水栓２０が収縮したとしても、蓋３０の締付けトルクを一定にすることにより、止水栓２０に作用するコイルばね４０の付勢力を一定にすることができる。
【００３１】
本発明は、上記実施の形態に限らず種々の変形が可能である。
例えば、上記実施の形態では、弾性体で構成された止水栓２０を例に挙げたが、止水栓２０は必ずしも弾性体で構成されていなくてもよい。止水栓２０が弾性体で構成されていなかったとしても、コイルばね４０の付勢力によって止水栓２０を内周面１６に密接させることができるため、止水栓２０の止水性を確保することができる。
【００３２】
また、上記実施の形態では空気調和機を例に挙げたが、本発明は止水栓を具備する各種機器に適用することができる。
【符号の説明】
【００３３】
１０  排水口部、１１  筒状部、１２  フランジ部、１３  入口部、１４  出口部、１５  排水口、１６  内周面、１７  係止爪、１８  雄ねじ、２０  止水栓、２１  筒状部、２２  底部、２３  中空部、２４  外周面、２５ａ、２５ｂ  凸部、２６  把手部、３０  蓋、３１  筒状部、３２  底部、３３  係止穴、３４  位置決めリブ、３５  引掛け部、３６  雌ねじ、４０  コイルばね、１００  室内機、１０１  筐体、１０２  化粧パネル、１０３  ファンモーター、１０４  ターボファン、１０５  熱交換器、１０６  ドレンパン、α  傾斜角度、β  収縮幅。
【図１】
0006689401.tif 000002
【図２】
0006689401.tif 000003
【図３】
0006689401.tif 000004
【図４】
0006689401.tif 000005
【図５】
0006689401.tif 000006